(57)【要約】【課題】農業用のトラクタでは、単なる走行形態に限らず、車体後部等に作業機を装着して対地走行作業を行うものであるから、前記従来の表示等では不便である。そこで、この作業時に必要な表示をも行わせて、的確で操作性のよい運転操作を行わせようとするものである。【解決手段】横長のメータパネル１の中央部に回転計２を設け、この回転計２の左右一側部には作業時に必要な作業表示モニタランプ３を配置し、他側部には液晶表示モニタ４と走行形態表示用の走行表示モニタランプ５とを上下に配置したことを特徴とするトラクタのメータパネルの構成。【選択図】        図１
2004231117.tif 000002
【特許請求の範囲】
【請求項１】
横長のメータパネル１の中央部に回転計２を設け、この回転計２の左右一側部には作業時に必要な作業表示モニタランプ３を配置し、他側部には液晶表示モニタ４と走行形態表示用の走行表示モニタランプ５とを上下に配置したことを特徴とするトラクタのメータパネル。
【請求項２】
横長のメータパネル１の中央部に回転計２を設け、この回転計２の左右一側部には作業時に必要な作業表示モニタランプ３を配置し、他側部には液晶表示モニタ４とワーニング表示用のワーニング表示モニタランプ６を上下に配置したことを特徴とするトラクタのメータパネル。
【発明の詳細な説明】
【０００１】
【発明の属する技術分野】
この発明は、農業用のトラクタのメータパネルに関する。
【０００２】
【従来の技術】
メータパネルの中央部に回転計を配置し、この外周部に沿って２ＷＤや４ＷＤ等の走行形態を表示する表示モニタランプが配置される。
【０００３】
【発明が解決しようとする課題】
農業用のトラクタでは、単なる走行形態に限らず、車体後部等に作業機を装着して対地走行作業を行うものであるから、前記従来の表示等では不便である。そこで、この作業時に必要な表示をも行わせて、的確で操作性のよい運転操作を行わせようとするものである。
【０００４】
【課題を解決するための手段】
請求項１に記載の発明は、横長のメータパネル１の中央部に回転計２を設け、この回転計２の左右一側部には作業時に必要な作業表示モニタランプ３を配置し、他側部には液晶表示モニタ４と走行形態表示用の走行表示モニタランプ５とを上下に配置したことを特徴とするトラクタのメータパネルの構成とする。トラクタのダッシュボード上でステアリングハンドルの前側部に設けられるメータパネル１は、横長形態に形成されて、このメータパネル１の横幅方向の略中央部に回転計２が設けられて、作業走行時等のエンジンの回転数が表示される。この回転計２の左右いずれか一側部には、作業時に必要な作業用としての作業表示モニタランプ３がまとめて配置される。この作業表示モニタランプ３としては、例えば、エンジンの回転を作業の必要に応じて制御して強、弱操作したときに点燈するＩＱアクセルや、ステアリングハンドルを一定角度以上に操舵することにより内輪側後車輪が制動したときに点燈するオートブレーキ、作業機が上昇したときに点燈するオートリフト、又は前車輪が後車輪の略二倍で回転したときに点燈するフルターン、ロータリ耕耘装置を耕耘土壌量の多少によって昇降させる負荷オート、更には後進走行にしたとき作業機を上昇するバックアップ等の各表示のモニタランプがある。又、回転計２の他側部には、液晶表示モニタ４と走行表示モニタランプ５がまとめて配置されて、このうちトラクタ車体自体の走行形態を表示する走行表示モニタランプ５としては、例えば、後車輪のみの駆動による走行形態を表示する２ＷＤや、後車輪と前車輪とを駆動して走行する４ＷＤ、前車輪が後車輪よりも高速で回転駆動することを表示するフルターン作動、又は、パーキングブレーキ等のモニタランプがある。
【０００５】
請求項２に記載の発明は、横長のメータパネル１の中央部に回転計２を設け、この回転計２の左右一側部には作業時に必要な作業表示モニタランプ３を配置し、他側部には液晶表示モニタ４とワーニング表示用のワーニング表示モニタランプ６を上下に配置したことを特徴とするトラクタのメータパネルの構成とする。メータパネル１は、横方向の幅中央部に回転計２が設けられて、作業走行時等のエンジンの回転が表示される。この回転計２の左右いずれか一側部には、作業時に必要な作業表示用としての作業表示モニタランプ３がまとめて配置される。又、回転計２の他側部には、液晶表示モニタ４と、ワーニング表示モニタランプ６がまとめて配置されて、このワーニング表示モニタランプ６で表示された状態を近くの液晶表示モニタ４に具体的に表示させて確認することができる。
【０００６】
【発明の効果】
請求項１に記載の発明は、メータパネル１は、中央部の回転計２を境界として、左右一側部には作業時に必要な作業形態表示用の作業表示モニタランプ３を配置して表示させ、他側部には液晶表示モニタ４と、走行形態表示用の走行表示モニタランプ５とを配置して表示させるものであるから、トラクタ車体自体の走行形態と、作業形態との判別、確認を機能別に的確に行うことができ、安全で快適な作業を行うことができる。
【０００７】
請求項２に記載の発明は、メータパネル１中央部の回転計２を境界として、左右一側部には作業表示モニタランプ３を配置して作業時に必要な事項を表示させるとともに、他側部には液晶表示モニタ４と、ワーニング表示モニタランプ６を配置して表示させるものであるから、トラクタ作業形態とワーニングとを機能別に判別、確認しながら的確な作業を行うことができ、ワーニング表示モニタランプ６で表示された状態を近くの液晶表示モニタ４でより具体的に詳細に表示させて、迅速な対処を容易にできる。
【０００８】
【発明の実施の形態】
この発明の実施例を図面に基づいて説明する。先ず、図１、図２において、トラクタ車体７は、前部のボンネット８下にエンジンルーム９を設けて、エンジン１０を搭載し、このエンジン１０の後側にクラッチハウジング１１、ミッションケース１２、及びリヤアクスルハウジング１３等を連結している。エンジンルーム９下側にはフロントアクスルブラケット１４を有し、フロントアクスルハウジング１５に支持させて、前車輪１６を伝動可能に設ける。リヤアクスルハウジング１３の左右側端には後車輪１７を軸装し、エンジン１０からの伝動でこれら前、後車輪１８、１７を駆動して走行できる。ボンネット８後側でクラッチハウジング１１の上方部にはダッシュボード１８及びステアリングポスト１９が設けられ、このダッシュボード１８上面にメータパネル１が設けられ、ステアリングポスト１９上にステアリングハンドル２０が設けられる。車体７後部上の左右フェンダ２１間に運転席２２が設けられる。車体７の後端部にはロータリ耕耘装置等の作業機を連結して昇降できるリフトリンクやリフトアーム２３等が設けられ、この作業機を伝動するＰＴＯ軸２４が設けられる。又、２５は運転席２２の後側に門形状に形成された安全フレームで、車体７後端部に一体のリヤサイドフレーム２６上端部にわたって取付けられる。
【０００９】
前記メータパネル１は、横方向に長く中央部には回転計２が設けられ、この回転計２の左側には、作業時に必要な事項を表示する作業表示モニタランプ３を配置し、右側には、上下中段部に横長の液晶モニタ４としてディスプレイが設けられ、この上側にコーションマークランプ２７と、ブレーキ非連結モニタランプ２８が配置され、下側に走行表示モニタランプ５が配置される。２９，３０は左右の方向指示マークランプで、回転計２の上側部に配置される。
【００１０】
ここに、回転計２はエンジン１０のクランク軸の回転数を表示する。又、できるだけステアリングポスト１９の影になり難い位置形態に配置する。次に、作業表示モニタランプ３としては、油路内圧ランプ３１、ＩＱアクセルランプ３２、フルターンランプ３３、オートリフトランプ３４、オートブレーキランプ３５、アップストップランプ３６、バックアップランプ３７、負荷オートランプ３８、上昇ランプ３９、及び、ＰＴＯ軸回転ランプ４０等を配置している。これら各ランプは次の場合に自動的に点燈される。油路内圧ランプ３１は、エンジン１０内の潤滑油路内の圧力が一定以下に低下したとき点燈する。ＩＱアクセルランプ３２は、エンジン１０の回転を必要に応じて制御して強弱操作したとき点燈する。フルターンランプ３３は、ステアリングハンドル２０を一定角以上に操蛇することによって前車輪１６が後車輪１７の略２倍の速度で回転したとき点燈する。オートリフトランプ３４は、、同じくハンドル２０の一定角以上の切り操作によって作業機が上昇したとき点燈する。オートブレーキランプ３５は、同じくハンドル２０の一定角以上の切り操作によって内輪側後車輪１７が制動したとき点燈する。アップストップランプ３６は、作業機が上昇するとＰＴＯ軸２４が自動的に停止して点燈する。バックアップランプ３７は、主変速、又はリバーサを後進位置にして作業機が上昇したとき点燈する。負荷オートランプ３８は、ロータリ耕耘装置のリヤカバーの均平角度により、耕耘土壌量が多いときはこの耕耘装置を上昇させるが、少いときは下降して点燈させる。上昇ランプ３９は、自動制御によって作業機が上昇すると点燈する。又、ＰＴＯ回転ランプ４０は、ＰＴＯ軸２４が回転中のとき点燈する。
【００１１】
次に、前記走行表示モニタランプ５としては、パーキングランプ４１、フルターン作動ランプ４２、４ＷＤランプ４３、２ＷＤランプ４４、及びグローランプ４５等がある。又、前記ブレーキ非連結ランプ２８は、左右の後車輪１７のブレーキを同時に効かせるために、左右のブレーキペタル相互間を連結できるが、これを連結しないで各別に操作可能状態としているときに点燈する。しかも、これらブレーキペタルやパーキングブレーキレバー等は運転席２２の中心よりも右側に配置されるため、ブレーキ非連結ランプ２８や、パーキングランプ４１も右側に配置して、識別感覚を合わせたものである。コーションマークランプ２７は、これを点燈させることによって液晶モニタ４に点燈内容を表示させるもので、このコーションマークランプ２７と走行表示モニタランプ５とを、液晶表示モニタ４の上下に沿って接近させて配置して、関連性の確認を容易化する。
【００１２】
次に、主として図３〜図６に基づてい上例と異なる点は、前記液晶表示モニタ４の上部に、注意を喚起するための注意ランプ４１を設け、下部にはトラブルの内容を連想させる絵文字（警告）ランプ４２〜４６からなるワーニング表示モニタランプ６を配置したものである。トラブル発生時には注意ランプ４１と絵文字ランプ４２〜４６が点燈し、液晶モニタ４にはそのトラブル内容、対応ガイド等が表示される。このように液晶モニタ４部付近に注意ランプ４１を設けることにより注意を喚起し易く、又、文章による警告とワーニング表示モニタランプ６によりトラブル内容を把持し、対応し易くする。このワーニング表示モニタランプ６には、冷却水温度ランプ４２、潤滑油ランプ４３、充電ランプ４４、（空白ランプ）４５、燃料ランプ４６、及び冷却水加温ランプ４７等がある。
【００１３】
ここで、前記上部の各ランプ４１，４７は、前例（図１）のランプ２７，２８に代わるものであり、下部の各ランプ４２〜４６は、ランプ４１〜４５に代わるものであり、各ランプは、表示切替スイッチ等の切替操作によって表示を切替えられるように構成することができる。
【００１４】
このようなメータパネル１において、前記液晶表示モニタ４における通常表示Ａ時には、図３のように変速位置や、ＰＴＯ軸の回転数、燃料量、及び冷却水温度等が表示されている。ここで、トラブル発生時には、例えば注意ランプ４１と充電ランプ４４とが点滅して、液晶表示モニタ４は「チャージ」の警告表示Ｂに切替えられて、バッテリーが弱っていることを表示することができる。
【００１５】
又、燃料の残量が少くなったときに、図４のように注意ランプ４１が点燈し、燃料ランプ４２が点滅し、この点滅に合せて液晶表示モニタ４を前記通常表示Ａと、「燃料補給せよ」の警告表示Ｃとに交互に表示するように構成するものである。このように液晶表示モニタ４に通常表示Ａをも表示することにより燃料量を正確に確認することができ、燃料の補給時には燃料量を見ながら給油することができる。
【００１６】
次に、図５のように複数のトラブルが同時に起きているとき、例えば燃料ランプ４２が点滅して、液晶表示モニタ４に「燃料補給せよ」の警告表示Ｃと、冷却水温度ランプ４６が点滅して、モニタ４に「冷却水点検せよ」の警告表示Ｄとを０．７秒毎に繰返して行う。又、トラブルが三つ以上の場合は順次点滅及び表示が繰返して行われる。
【００１７】
又、トラブル発生時に、注意ランプ４１が点燈し、ワーニング表示モニタランプ６のいずれかのランプ４６が点燈して、液晶表示モニタ４に警告表示Ｄされるとき、表示切替スイッチ（図面省略）を押した場合は、各ランプ４１，４６は点燈したままで、液晶表示モニタ４の警告表示Ｄが通常表示Ａに切替えられる（図６）。
【００１８】
次に、主として図７，図８に基づいて上例と異なる点は、前記安全フレーム２５左右基部のリヤサイドフレーム２６部上にわたって連結の支軸４８に、シートブラケット４９を起伏回動可能に設け、このシートブラケット４９に運転席２２と、着座可能な背もたれ５０とを一体的にして設け、通常の運転操作時Ｅでは運転席２２部が前側に位置するように回動し、バックホーとしての作業時Ｆは後側へ略９０度回動させて背もたれ５０部を後向きにして着座することができる。このような構成では、バックホー用シートの構成を、通常のシートと共用化でき、しかもワンタッチで回動させて簡単に切替できる。
【００１９】
次に、主として図９に基づいて上例と異なる点は、前記トラクタ車体７上に運転席２２上を覆うキャビン５１を搭載して、このキャビン５１の後側リヤウインド５５下部に設けられるリヤパネル５２と、該運転席２２の背もたれ５０との間に、ウオッシャタンク５３を設けたものである。リヤパネル５２は合成樹脂板等から形成されて、同じ樹脂製のウオッシャタンク５３を嵌合支持させる凹部５４を形成している。５６はサイドドア、５７はフロントウインド、５８はルーフ、５９はキャビンフレーム、６０はダッシュカバーである。ウオッシャタンク５３をリヤパネル５２で覆うことによって、タンク５３の劣化を防止できる。トラクタ作業時には、ウォッシャタンク５３がリヤウインド５５の下側に位置しているため後方視界を妨げず邪魔になり難い。
【図面の簡単な説明】
【図１】メータパネル部の平面図。
【図２】トラクタの側面図。
【図３】その一部実施例を示すメータパネル部の作動を示す平面図。
【図４】その作動を示す平面図。
【図５】その作動を示す平面図。
【図６】その作動を示す平面図。
【図７】一部別実施例を示す運転席部の側面図。
【図８】その背面図。
【図９】一部別実施例を示すキャビン部の側面図と、その一部の平断面図。
【符号の説明】
１    メータパネル
２    回転計
３    作業表示モニタランプ
４    液晶表示モニタ
５    走行表示モニタランプ
６    ワーニング表示モニタランプ
【図１】
2004231117.tif 000003
【図２】
2004231117.tif 000004
【図３】
2004231117.tif 000005
【図４】
2004231117.tif 000006
【図５】
2004231117.tif 000007
【図６】
2004231117.tif 000008
【図７】
2004231117.tif 000009
【図８】
2004231117.tif 000010
【図９】
2004231117.tif 000011